(57)【要約】【課題】信頼性を向上する。【解決手段】現金自動取引装置１は、顧客との間で紙幣の授受を行う入出金部１６を備え、装置筐体２から引出し及び収納する方向に移動可能に設けられ上側ドライブギヤ６０を有する上部ユニット３０と、紙幣を収納する紙幣収納庫２６を装填可能で、装置筐体２から引出し及び収納する方向に移動可能に設けられ下側ドライブギヤ６２を有する下部ユニット３２と、上側ドライブギヤ６０と下側ドライブギヤ６２と連結される連結ギヤ群６４と、該連結ギヤ群６４の周囲を覆うと共に上側ドライブギヤ６０と及び下側ドライブギヤ６２と上側ジョイントギヤ４６及び下側ジョイントギヤ４８との連結箇所に上側開口部５６及び下側開口部５８が形成されたカバー５０とを含むジョイント部４２とを設ける。【選択図】図３
2018032265.tif 000002
【特許請求の範囲】
【請求項１】
装置筐体から引出し及び収納する方向に移動可能に設けられ、第１のギヤを有する第１のユニットと、
装置筐体から引出し及び収納する方向に移動可能に設けられ、第２のギヤを有する第２のユニットと、
前記第１のギヤと前記第２のギヤと連結される複数の連結ギヤと、前記複数の連結ギヤの周囲を覆うと共に前記第１のギヤ及び前記第２のギヤと前記複数の連結ギヤとの連結箇所に開口部が形成されたカバーとを含む連結部と
を有する媒体処理装置。
【請求項２】
前記第１のユニットは、前記装置筐体に収納された状態において、前記カバーの前記開口部を覆う第１の壁部を有する
請求項１に記載の媒体処理装置。
【請求項３】
前記第２のユニットは、前記装置筐体に収納された状態において、前記カバーの前記開口部を覆う第２の壁部を有する
請求項２に記載の媒体処理装置。
【請求項４】
前記開口部は、前記第１のユニット及び前記第２のユニットが装置筐体から引き出される側に形成される
請求項１に記載の媒体処理装置。
【請求項５】
前記第１のユニット及び前記第２のユニットは、前記装置筐体から水平方向に沿って引出し及び収納する方向に移動可能に設けられ、
前記第１の壁部は、前記開口部の上方を覆う
請求項３に記載の媒体処理装置。
【請求項６】
前記第２の壁部は、前記開口部の下方を覆う
請求項５に記載の媒体処理装置。
【請求項７】
前記第１の壁部及び前記第２の壁部は、前記第１のユニット及び前記第２のユニットが前記装置筐体に収納された状態において、前記開口部の縁を覆うように前記カバーの一部にオーバーラップしている
請求項６に記載の媒体処理装置。
【請求項８】
前記第１の壁部及び前記第２の壁部は、前記第１のギヤ及び前記第２のギヤに対し前記第１のユニット及び前記第２のユニットが前記装置筐体から引き出される側及び収納される側を除いて設けられる
請求項３に記載の媒体処理装置。
【請求項９】
前記開口部を覆う開口部カバーをさらに有する
請求項１に記載の媒体処理装置。
【請求項１０】
前記開口部カバーは、前記第１のユニット又は前記第２のユニットに当接することにより前記第１のユニット又は前記第２のユニットの移動経路から退避する
請求項９に記載の媒体処理装置。
【請求項１１】
前記開口部カバーは、前記第１のユニット及び前記第２のユニットにおける前記第１のギヤ又は前記第２のギヤに当接することにより前記第１のユニット又は前記第２のユニットの移動経路から退避する
請求項１０に記載の媒体処理装置。
【請求項１２】
前記開口部カバーは、前記第１のユニット又は前記第２のユニットに当接して回動することにより前記第１のユニット又は前記第２のユニットの移動経路から退避する
請求項１０に記載の媒体処理装置。
【請求項１３】
顧客との間で媒体の授受を行う入出金部を備え、装置筐体から引出し及び収納する方向に移動可能に設けられ、第１のギヤを有する第１のユニットと、
前記媒体を収納する媒体収納庫を装填可能で、装置筐体から引出し及び収納する方向に移動可能に設けられ、第２のギヤを有する第２のユニットと、
前記第１のギヤと前記第２のギヤと連結される複数の連結ギヤと、前記複数の連結ギヤの周囲を覆うと共に前記第１のギヤ及び前記第２のギヤと前記複数の連結ギヤとの連結箇所に開口部が形成されたカバーとを含む連結部と
を有する媒体取引装置。
【発明の詳細な説明】
【技術分野】
【０００１】
本発明は媒体処理装置及び媒体取引装置に関し、例えば紙幣等の媒体を投入して所望の取引を行う現金自動取引装置（ＡＴＭ：Automatic Teller Machine）等に適用して好適なものである。
【背景技術】
【０００２】
従来の現金自動取引装置は、紙幣を収納する複数の収納庫が装填される下部ユニットが筐体の下側に配置されると共に、該下部ユニットの上側に、顧客との間で紙幣の授受を行う紙幣入出金部や、投入された紙幣の金種及び真偽を鑑別する鑑別部や、投入された紙幣を一時的に保留する一時保留部等が収容された上部ユニットが配置され、該上部ユニットと下部ユニットの内部とで紙幣を受け渡すものがある（例えば、特許文献１参照）。
【０００３】
現金自動取引装置においては、筐体に対し上部ユニット及び下部ユニットがスライド可能に設けられているものがある。そのような現金自動取引装置には、図１６に示すように、上部ユニット３０に設けられ駆動力を発生させる上側ドライブギヤ６０から、下部ユニット３２に設けられ自らは駆動力を発生させない下側ドライブギヤ６２へ、紙幣が搬送される紙幣搬送エリアＡＢＬの外側に設けられたジョイント部２４２を介し駆動力を伝達させることにより、下部ユニット３２における駆動源の個数を削減するものがあった。なお図１６（Ｂ）において上側ブラケット５２及び下側ブラケット５４は図示せず省略する。
【０００４】
ジョイント部２４２は、固定ギヤ４４、上側ブラケット５２、上側ジョイントギヤ４６、下側ブラケット５４及び下側ジョイントギヤ４８を有している。上側ブラケット５２は、上側ドライブギヤ６０及び固定ギヤ４４と噛み合う上側ジョイントギヤ４６を先端に回転可能に支持して固定ギヤ４４の軸を中心に回動する。下側ブラケット５４は、下側ドライブギヤ６２及び固定ギヤ４４と噛み合う下側ジョイントギヤ４８を先端に回転可能に支持して固定ギヤ４４の軸を中心に回動する。現金自動取引装置は、上側ドライブギヤ６０の駆動力を、ジョイント部２４２における上側ジョイントギヤ４６、固定ギヤ４４及び下側ジョイントギヤ４８を順次介して伝達させ、下側ドライブギヤ６２を回転させる。
【先行技術文献】
【特許文献】
【０００５】
【特許文献１】特開２０１０−３９８３１号公報
【発明の概要】
【発明が解決しようとする課題】
【０００６】
このような現金自動取引装置においては、ジョイント部２４２における固定ギヤ４４、上側ジョイントギヤ４６、上側ブラケット５２、下側ブラケット５４及び下側ジョイントギヤ４８が露出していたため、埃や紙粉等の異物が付着すると、該異物が研磨材となりギヤの摩耗が進行してしまい、信頼性を保てない可能性があった。
【０００７】
本発明は以上の点を考慮してなされたもので、信頼性を向上し得る媒体処理装置及び媒体取引装置を提案しようとするものである。
【課題を解決するための手段】
【０００８】
かかる課題を解決するため本発明の媒体処理装置においては、装置筐体から引出し及び収納する方向に移動可能に設けられ、第１のギヤを有する第１のユニットと、装置筐体から引出し及び収納する方向に移動可能に設けられ、第２のギヤを有する第２のユニットと、第１のギヤと第２のギヤと連結される複数の連結ギヤと、複数の連結ギヤの周囲を覆うと共に第１のギヤ及び第２のギヤと複数の連結ギヤとの連結箇所に開口部が形成されたカバーとを含む連結部とを設けるようにした。
【０００９】
また本発明の媒体取引装置においては、顧客との間で媒体の授受を行う入出金部を備え、装置筐体から引出し及び収納する方向に移動可能に設けられ、第１のギヤを有する第１のユニットと、媒体を収納する媒体収納庫を装填可能で、装置筐体から引出し及び収納する方向に移動可能に設けられ、第２のギヤを有する第２のユニットと、第１のギヤと第２のギヤと連結される複数の連結ギヤと、複数の連結ギヤの周囲を覆うと共に第１のギヤ及び第２のギヤと複数の連結ギヤとの連結箇所に開口部が形成されたカバーとを含む連結部とを設けるようにした。
【００１０】
本発明は、連結部の連結ギヤに外部から異物が付着することを防止できる。
【発明の効果】
【００１１】
本発明によれば、信頼性を向上し得る媒体処理装置及び媒体取引装置を実現できる。
【図面の簡単な説明】
【００１２】
【図１】現金自動取引装置の構成を示す斜視図である。
【図２】紙幣処理機の構成を示す左側面図である。
【図３】第１の実施の形態によるジョイント部の構成を示し、（Ａ）は斜視図、（Ｂ）は左側面図である。
【図４】上部ユニットの構成を示す斜視図である。
【図５】下部ユニットの構成を示す斜視図である。
【図６】第１の実施の形態による駆動伝達部の構成（１）を示す斜視図である。
【図７】第１の実施の形態によるユニット引出動作を示す左側面図である。
【図８】第１の実施の形態による駆動伝達部の構成（２）を示す左側面図である。
【図９】第１の実施の形態による駆動伝達部の構成（３）を示す正面図である。
【図１０】第１の実施の形態による駆動伝達部の構成（４）を示し、図８におけるＡ−Ａ矢視断面図である。
【図１１】第１の実施の形態による駆動伝達部の構成（５）を示し、図９におけるＢ−Ｂ矢視断面図である。
【図１２】第２の実施の形態による駆動伝達部の構成（１）を示す左側面図である。
【図１３】第２の実施の形態による駆動伝達部の構成（２）を示す斜視図である。
【図１４】第２の実施の形態によるユニット引出動作を示す左側面図である。
【図１５】第２の実施の形態によるユニット収納動作を示す左側面図である。
【図１６】従来の駆動伝達部を示し、（Ａ）は左側面図、（Ｂ）は正面図である。
【発明を実施するための形態】
【００１３】
以下、発明を実施するための形態（以下実施の形態とする）について、図面を用いて説明する。
【００１４】
［１．第１の実施の形態］
［１−１．現金自動取引装置の構成］
図１に外観を示すように、現金自動取引装置１は、箱状の装置筐体２を中心に構成されており、例えば金融機関等に設置され、利用者（すなわち金融機関の顧客）との間で入金取引や出金取引等の現金に関する取引を行う。
【００１５】
装置筐体２は、その前側に顧客が対峙した状態で紙幣の投入やタッチパネルによる操作等をしやすい箇所に顧客応対部３が設けられている。顧客応対部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。
【００１６】
以下では、現金自動取引装置１のうち利用者が対峙する側を前側とし、その反対を後側とし、該前側に対峙した利用者から見て左及び右をそれぞれ左側及び右側とし、さらに上側及び下側を定義して説明する。
【００１７】
装置筐体２内には、現金自動取引装置１全体を統轄制御する主制御部９や、紙幣に関する種々の処理を行う紙幣処理機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、各部を制御して入金取引や出金取引等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００１８】
［１−２．紙幣処理機の内部構成］
紙幣処理機１０は、図２に示すように、金庫筐体１５及び上部ユニット３０を有し、該金庫筐体１５に上部ユニット３０が載上されている。また紙幣処理機１０は、制御部１２が各部（入出金部１６、鑑別部１８、一時保留部２０、上搬送部２１、偽券庫２２、搬送部２４、紙幣収納庫２６及びリジェクト庫２８）を統轄制御する。制御部１２は、図示しないＣＰＵを中心に構成されており、ＲＯＭ、ＲＡＭ、ハードディスクドライブやフラッシュメモリ等でなる記憶部１４から所定のプログラムを読み出して実行することにより、各部を制御して入金取引や出金取引等の種々の処理を行う。
【００１９】
上部ユニット３０には、上部ユニット筐体３４内に、入出金部１６、紙幣の金種や真偽を判定する鑑別部１８、入金紙幣等を一時的に保留する一時保留部２０及び偽造紙幣（以下、偽券と呼ぶ）と判断された紙幣を収納する偽券庫２２等が設けられている。入出金部１６は、上部ユニット３０内における前側上部に配され、顧客から投入された紙幣を１枚ずつ分離し搬送部２４へ繰り出す。
【００２０】
搬送部２４は、図示しないローラやベルト等により、図中実線で示す搬送路に沿って長方形の紙幣を短手方向に搬送する。搬送部２４は、鑑別部１８を前後方向に挿通させるように紙幣を搬送し、該鑑別部１８の後側と一時保留部２０、紙幣収納庫２６及び偽券庫２２とをそれぞれ接続している。また搬送部２４は、鑑別部１８の前側と入出金部１６及びリジェクト庫２８とを接続している。搬送部２４の分岐点には、切替機構（図中三角形で示す）が設けられており、制御部１２の制御に基づき回動することにより、紙幣の搬送先を切り替える。
【００２１】
鑑別部１８は、その内部で紙幣を搬送しながら、光学素子や磁気検出素子等を用いて該紙幣の金種及び真偽、並びに損傷の程度等（正損）を鑑別し、その鑑別結果を制御部１２へ通知する。また鑑別部１８は、撮像した紙幣の画像データから記番号を読み取り識別し、その識別結果を制御部１２へ通知する。これに応じて制御部１２は、取得した鑑別結果及び識別結果に基づいて紙幣の搬送先を決定する。
【００２２】
一時保留部２０は、上部ユニット３０内における前後方向のほぼ中央部であって搬送部２４の上に隣接する位置に配され、いわゆるテープエスクロ方式を採用しており、円筒形状のドラムの周側面に紙幣をテープと共に巻き付けることで該紙幣を収納し、またこの周側面から該テープを引き剥がすことで紙幣を繰り出す。
【００２３】
上搬送部２１は、搬送部２４の上側における後端近傍に配置されており、下端から上部前側へ向けて紙幣を搬送する。偽券庫２２は、搬送部２４の上側における後寄りの箇所であって上搬送部２１の前側に隣接する位置に配置されており、内部に紙幣を収納する空間を有している。この偽券庫２２は、鑑別部１８及び制御部１２により偽券と判断された紙幣が搬送部２４を介し上搬送部２１により搬送されてくると、これを内部に収納する。
【００２４】
金庫筐体１５は、比較的厚い複数の金属板を組み合わせるようにして略箱型に形成され、装置筐体２内に固設されている。また金庫筐体１５内には、上端部が開放された略箱型の下部ユニット３２が収納されている。下部ユニット３２には、下部ユニット筐体３６内に、再利用すべきでない紙幣を収納するリジェクト庫２８と、再利用可能な紙幣を収納する５個の紙幣収納庫２６とが設けられている。リジェクト庫２８は、下部ユニット３２内における前側下部に配され、上下方向に長い直方体状に形成されると共に内部に紙幣を集積して収納する空間を有している。このリジェクト庫２８は、鑑別部１８及び制御部１２により損傷の程度が大きく再利用すべきで無いと判断された紙幣が搬送部２４により搬送されて来ると、該紙幣を内部に収納する。下部ユニット３２内におけるリジェクト庫２８の後方には、前側から後側へ向けて順に５個の紙幣収納庫２６（２６Ａ、２６Ｂ、２６Ｃ、２６Ｄ及び２６Ｅ）が設けられている。各紙幣収納庫２６は、何れも同様に構成されており、上下方向に長い直方体状に形成されると共に内部に紙幣を集積して収納する空間を有している。各紙幣収納庫２６は、それぞれ収納すべき紙幣の金種が予め設定されている。この紙幣収納庫２６は、鑑別部１８及び制御部１２により損傷の程度が小さく再利用が可能であると判断された紙幣が、その金種に応じて搬送部２４により搬送されてくると、該紙幣を内部に集積して収納する。また紙幣収納庫２６は、制御部１２から紙幣を繰り出す指示を受け付けると、集積している紙幣を１枚ずつに分離して繰り出し、搬送部２４に受け渡す。
【００２５】
かかる構成において現金自動取引装置１は、鑑別部１８による紙幣の鑑別結果及び識別結果等をもとに主制御部９及び制御部１２が各部を制御して、紙幣の入金処理及び出金処理等を行う。
【００２６】
ところで装置筐体２は、前面を覆う装置筐体前扉（図示せず）が図示しないヒンジ部を介して開閉可能に設けられている。また金庫筐体１５は、該金庫筐体１５を形成する複数の金属板のうち前板となる金属板が金庫筐体前扉として図示しないヒンジ部を介して開閉可能に設けられている。
【００２７】
上部ユニット３０は、上側スライドレール（図示せず）を介して装置筐体２に取り付けられている。上側スライドレールは、前後方向に延長されたレール状の部品や複数のローラ等（図示せず）の組み合わせにより構成されており、装置筐体２に対し上部ユニット３０を前方向（引出方向）又は後方向（収納方向）へ水平方向に沿って直線的に且つ円滑に移動させる。
【００２８】
現金自動取引装置１は、顧客との間で取引処理が行われる場合や保守作業が行われない場合、上部ユニット３０を装置筐体２の内部に収納することにより、該上部ユニット３０の各部や紙幣等を保護する。以下ではこれを上部ユニット収納状態とも呼ぶ。一方現金自動取引装置１は、例えば上部ユニット３０内において紙幣詰まりが発生し紙幣が除去される際等、保守作業者により保守作業が行われる場合、装置筐体前扉を開き、図２に破線で示すように上部ユニット３０を引出方向へ移動させて、該上部ユニット３０を装置筐体２の外部に引き出した状態とする。以下ではこれを上部ユニット引出状態とも呼ぶ。
【００２９】
下部ユニット３２は、下側スライドレール（図示せず）を介して金庫筐体１５に取り付けられている。下側スライドレールは、前後方向に延長されたレール状の部品や複数のローラ等（図示せず）の組み合わせにより構成されており、金庫筐体１５に対し下部ユニット３２を前方向（引出方向）又は後方向（収納方向）へ水平方向に沿って直線的に且つ円滑に移動させる。
【００３０】
現金自動取引装置１は、顧客との間で取引処理が行われる場合や保守作業が行われない場合、図２に示したように下部ユニット３２を金庫筐体１５の内部に収納することにより、該下部ユニット３２の各部や紙幣等を保護する。以下ではこれを下部ユニット収納状態とも呼ぶ。一方現金自動取引装置１は、保守作業者により保守作業が行われる場合、装置筐体前扉及び金庫筐体前扉（図示せず）を開き下部ユニット３２を図２に破線で示すように引出方向へ移動させて、該下部ユニット３２を装置筐体２の外部に引き出した状態とする。以下ではこれを下部ユニット引出状態とも呼ぶ。以下では引出方向及び収納方向をまとめてスライド方向とも呼ぶ。
【００３１】
［１−３．駆動伝達部の構成］
金庫筐体１５における、搬送部２４の前端近傍の下側と、リジェクト庫２８との間には、駆動伝達部２９が設けられている。図８に示すように駆動伝達部２９は、上部ユニット３０の上側ドライブギヤ６０と、ジョイント部４２と、下部ユニット３２の下側ドライブギヤ６２とにより構成されている。
【００３２】
［１−３−１．ジョイント部の構成］
図３、図８、図９、図１０及び図１１に示すようにジョイント部４２は、固定ギヤ４４、上側ジョイントギヤ４６、上側ブラケット５２、下側ブラケット５４、下側ジョイントギヤ４８及びカバー５０により構成されており、カバー５０が固定ギヤ４４、上側ジョイントギヤ４６及び下側ジョイントギヤ４８を覆っている。以下では固定ギヤ４４、上側ジョイントギヤ４６及び下側ジョイントギヤ４８をまとめて連結ギヤ群６４とも呼ぶ。なお図３、図９及び図１０において上側ブラケット５２及び下側ブラケット５４は図示せず省略する。また図９及び図１０において固定ギヤ軸４４Ａ、上側ジョイントギヤ軸４６Ａ及び下側ジョイントギヤ軸４８Ａは図示せず省略する。
【００３３】
固定ギヤ４４は、カバー５０における前後上下方向のほぼ中央に設けられた固定ギヤ軸４４Ａに回転可能に取り付けられている。
【００３４】
上側ブラケット５２は、一端が固定ギヤ軸４４Ａに回動可能に取り付けられていると共に、他端に上側ジョイントギヤ４６を回転可能に支持する上側ジョイントギヤ軸４６Ａが形成されている。また上側ブラケット５２は、図示しない付勢部材により、固定ギヤ軸４４Ａを中心として上部ユニット３０の上側ドライブギヤ６０に近接する方向に付勢されていると共に、カバー５０における図示しないリミッタ機構に当接することにより、位置が規制されている。
【００３５】
上側ジョイントギヤ４６は、固定ギヤ４４よりも上部ユニット３０側における収納方向側において固定ギヤ４４と当接するように配され、上側ジョイントギヤ軸４６Ａに回転可能に支持されていると共に、上側ドライブギヤ６０に近接する方向に付勢されている。このため上側ジョイントギヤ４６は、固定ギヤ４４へ駆動力を伝達させることにより、該上側ジョイントギヤ４６に連れて該固定ギヤ４４を回転させる。
【００３６】
以下では、上側ブラケット５２がリミッタ機構に当接しており上側ジョイントギヤ４６が最も上側ドライブギヤ６０に近接している状態を上側リミット状態とも呼ぶ。
【００３７】
下側ブラケット５４は、一端が固定ギヤ軸４４Ａに回動可能に取り付けられていると共に、他端に下側ジョイントギヤ４８を回転可能に支持する下側ジョイントギヤ軸４８Ａが形成されている。また下側ブラケット５４は、図示しない付勢部材により、固定ギヤ軸４４Ａを中心として下部ユニット３２の下側ドライブギヤ６２に近接する方向に付勢されていると共に、カバー５０における図示しないリミッタ機構に当接することにより、位置が規制されている。
【００３８】
下側ジョイントギヤ４８は、固定ギヤ４４よりも下部ユニット３２側における収納方向側において固定ギヤ４４と当接するように配され、下側ジョイントギヤ軸４８Ａに回転可能に支持されていると共に、下側ドライブギヤ６２に近接する方向に付勢されている。このため下側ジョイントギヤ４８は、固定ギヤ４４から駆動力を伝達されることにより、該固定ギヤ４４に連れて回転する。
【００３９】
以下では、下側ブラケット５４がリミッタ機構に当接しており下側ジョイントギヤ４８が最も下側ドライブギヤ６２に近接している状態を下側リミット状態とも呼ぶ。
【００４０】
カバー５０は、箱型に形成されており、固定ギヤ４４、上側ジョイントギヤ４６、上側ブラケット５２、下側ブラケット５４及び下側ジョイントギヤ４８を内部に収容する内部空間が内側に形成されている。
【００４１】
またカバー５０は、上側リミット状態の上側ジョイントギヤ４６の上部ユニット３０側（上側）及び引出方向側において、開口する上側開口部５６が穿設されている。このため上側ジョイントギヤ４６は、引出方向側における上側の半分程度から上側における引出方向側の半分程度までにかけて、カバー５０の外部に露出している。これにより上側ジョイントギヤ４６は、上部ユニット収納状態において、上部ユニット３０の上側ドライブギヤ６０に当接する。
【００４２】
またカバー５０は、下側リミット状態の下側ジョイントギヤ４８の下部ユニット３２側（下側）及び引出方向側において、開口する下側開口部５８が穿設されている。このため下側ジョイントギヤ４８は、引出方向側における下側の半分程度から下側における引出方向側の半分程度までにかけて、カバー５０の外部に露出している。これにより下側ジョイントギヤ４８は、下部ユニット収納状態において、下部ユニット３２の下側ドライブギヤ６２に当接する。以下では上側開口部５６及び下側開口部５８をまとめて開口部とも呼ぶ。
【００４３】
カバー５０は、上側開口部５６、下側開口部５８、左部上側壁部６６ＬＵ、左側壁部６６Ｌ、左部右側壁部６６ＬＲ、右部上側壁部６６ＲＵ、下側壁部６６Ｄ、右側壁部６６Ｒ、後側壁部６６Ｂ及び前側壁部６６Ｆが形成されている。
【００４４】
左部上側壁部６６ＬＵは、水平方向に沿って延設され、カバー５０における左半分の上側の壁を形成しており、上側ジョイントギヤ４６における収納方向側の半分程度を上方から覆っている。左側壁部６６Ｌは、鉛直方向に沿って延設され、カバー５０における左側の壁を形成しており、連結ギヤ群６４、上側ブラケット５２及び下側ブラケット５４を左方から覆っている。左部右側壁部６６ＬＲは、鉛直方向に沿って延設され、カバー５０における左半分の右側の壁を形成しており、固定ギヤ４４、上側ジョイントギヤ４６及び上側ブラケット５２を右方から覆っている。右部上側壁部６６ＲＵは、水平方向に沿って延設され、カバー５０における右半分の上側の壁を形成しており、下側ブラケット５４及び下側ジョイントギヤ４８を上方から覆っている。下側壁部６６Ｄは、水平方向に沿って延設され、カバー５０における下側の壁を形成しており、連結ギヤ群６４、上側ブラケット５２及び下側ブラケット５４を下方から覆っている。
【００４５】
右側壁部６６Ｒは、鉛直方向に沿って延設され、カバー５０における右側の壁を形成しており、下側ブラケット５４及び下側ジョイントギヤ４８を左方から覆っている。後側壁部６６Ｂは、鉛直方向に沿って延設され、カバー５０における後側の壁を形成しており、連結ギヤ群６４、上側ブラケット５２及び下側ブラケット５４を後方から覆っている。前側壁部６６Ｆは、鉛直方向に沿って延設され、カバー５０における前側の壁を形成しており、連結ギヤ群６４、上側ブラケット５２及び下側ブラケット５４を前方から覆っている。
【００４６】
［１−３−２．上部ユニットの構成］
図４に示すように上部ユニット筐体３４には、上側ドライブギヤ６０を覆う第１の壁部としての上部ユニット筐体壁部３８が形成されている。上部ユニット筐体壁部３８は、上部上側壁部３８Ｕ、上部左側壁部３８Ｌ及び上部右側壁部３８Ｒを有している。
【００４７】
上側ドライブギヤ６０は、上部右側壁部３８Ｒに固定された上側ドライブギヤ軸６０Ａに回転可能に取り付けられている。また上側ドライブギヤ６０は、上部ユニット収納状態においてジョイント部４２の上側ジョイントギヤ４６の引出方向側に当接するように配されている。このため上側ドライブギヤ６０は、上部ユニット収納状態において上側ジョイントギヤ４６へ駆動力を伝達させることにより、該上側ドライブギヤ６０に連れて該上側ジョイントギヤ４６を回転させる。
【００４８】
上部上側壁部３８Ｕは、上側ドライブギヤ６０の上側においてカバー５０の左部上側壁部６６ＬＵと平行に水平方向に沿って延設されており、上側ドライブギヤ６０の上側を上方から覆っている。また上部上側壁部３８Ｕは、上部ユニット収納状態において、カバー５０の上側開口部５６と上下方向に対向することにより、上側開口部５６を上方から覆っている。
【００４９】
上部左側壁部３８Ｌは、上側ドライブギヤ６０の左側においてカバー５０の左側壁部６６Ｌと平行に鉛直方向に沿って延設されており、上側ドライブギヤ６０の左側を、該上側ドライブギヤ６０の下端部よりも下側まで左方から覆っている。また上部左側壁部３８Ｌは、上部ユニット収納状態において、カバー５０の上側開口部５６と左右方向に対向することにより、上側開口部５６を左方から覆っている。また上部左側壁部３８Ｌの下端部は、上部ユニット収納状態において、図１０に示すように左側壁部６６Ｌの上端部よりも下方に位置していることにより、上部左側壁部３８Ｌと左側壁部６６Ｌとが上下方向にオーバーラップしている。
【００５０】
上部右側壁部３８Ｒは、上側ドライブギヤ６０の右側においてカバー５０の左部右側壁部６６ＬＲと平行に鉛直方向に沿って延設されており、上側ドライブギヤ６０の右側を、該上側ドライブギヤ６０の下端部よりも下側まで右方から覆っている。また上部右側壁部３８Ｒは、上部ユニット収納状態において、カバー５０の上側開口部５６と左右方向に対向することにより、上側開口部５６を右方から覆っている。また上部右側壁部３８Ｒの下端部は、上部ユニット収納状態において、図１０に示すように左部右側壁部６６ＬＲの上端部よりも下方に位置していることにより、上部右側壁部３８Ｒと左部右側壁部６６ＬＲとが上下方向にオーバーラップしている。
【００５１】
このように上部ユニット筐体３４は、上側ドライブギヤ６０のそれぞれ上側、左側及び右側を覆う上部上側壁部３８Ｕ、上部左側壁部３８Ｌ及び上部右側壁部３８Ｒが形成されている。このため上部ユニット３０は、上側ドライブギヤ６０に外部から異物が付着してしまうことを抑止できる。また上部ユニット筐体３４は、上側ドライブギヤ６０の前側及び後側には、壁部が形成されていない。このため現金自動取引装置１は、ジョイント部４２が上部ユニット筐体３４に物理的に干渉しないように上部ユニット３０をジョイント部４２に対しスライドさせることができる。さらに上部ユニット筐体３４は、上部ユニット収納状態において、上部上側壁部３８Ｕ、上部左側壁部３８Ｌ及び上部右側壁部３８Ｒが、カバー５０の上側開口部５６のそれぞれ上側、左側及び右側を覆っている。このため上部ユニット３０は、上側開口部５６を介しカバー５０の外部から内部へ異物が侵入してしまうことを抑止できる。
【００５２】
［１−３−３．下部ユニットの構成］
図５に示すように下部ユニット筐体３６には、下側ドライブギヤ６２を覆う第２の壁部としての下部ユニット筐体壁部４０が形成されている。下部ユニット筐体壁部４０は、下部下側壁部４０Ｄ、下部左側壁部４０Ｌ及び下部右側壁部４０Ｒを有している。
【００５３】
下側ドライブギヤ６２は、下部左側壁部４０Ｌに固定された下側ドライブギヤ軸６２Ａに回転可能に取り付けられている。また下側ドライブギヤ６２は、下部ユニット収納状態においてジョイント部４２の下側ジョイントギヤ４８の引出方向側に当接するように配されている。このため下側ドライブギヤ６２は、下部ユニット収納状態において下側ジョイントギヤ４８から駆動力を伝達されることにより、該下側ジョイントギヤ４８に連れて回転する。
【００５４】
下部下側壁部４０Ｄは、下側ドライブギヤ６２の下側においてカバー５０の下側壁部６６Ｄと平行に水平方向に沿って延設されており、下側ドライブギヤ６２の下側を下方から覆っている。また下部下側壁部４０Ｄは、下部ユニット収納状態において、カバー５０の下側開口部５８と上下方向に対向することにより、下側開口部５８を下方から覆っている。
【００５５】
下部左側壁部４０Ｌは、下側ドライブギヤ６２の左側においてカバー５０の左側壁部６６Ｌと平行に鉛直方向に沿って延設されており、下側ドライブギヤ６２の左側の一部を左方から覆っている。また下部左側壁部４０Ｌは、下部ユニット収納状態において、図９に示すようにカバー５０の下側開口部５８の内部に入り込むことにより、下側開口部５８の左端近傍を覆っている。また下部左側壁部４０Ｌの上端部は、下部ユニット収納状態において、下側壁部６６Ｄの下端部よりも上方に位置していることにより、下部左側壁部４０Ｌと下側壁部６６Ｄとが上下方向にオーバーラップしている。
【００５６】
下部右側壁部４０Ｒは、下側ドライブギヤ６２の右側においてカバー５０の右側壁部６６Ｒと平行に鉛直方向に沿って延設されており、下側ドライブギヤ６２の右側を、該下側ドライブギヤ６２の上端部よりも上側まで右方から覆っている。また下部右側壁部４０Ｒは、下部ユニット収納状態において、図９に示すようにカバー５０の下側開口部５８と左右方向に対向することにより、下側開口部５８を右方から覆っている。また下部右側壁部４０Ｒの上端部は、下部ユニット収納状態において、右部上側壁部６６ＲＵの下端部よりも上方に位置していることにより、下部右側壁部４０Ｒと右部上側壁部６６ＲＵとが上下方向にオーバーラップしている。
【００５７】
このように下部ユニット筐体３６は、下側ドライブギヤ６２のそれぞれ下側、左側及び右側を覆う下部下側壁部４０Ｄ、下部左側壁部４０Ｌ及び下部右側壁部４０Ｒが形成されている。このため下部ユニット３２は、下側ドライブギヤ６２に外部から異物が付着してしまうことを抑止できる。また下部ユニット筐体３６は、下側ドライブギヤ６２の前側及び後側には、壁部が形成されていない。このため現金自動取引装置１は、ジョイント部４２が下部ユニット筐体３６に物理的に干渉しないように下部ユニット３２をジョイント部４２に対しスライドさせることができる。さらに下部ユニット筐体３６は、下部ユニット収納状態において、下部下側壁部４０Ｄ、下部左側壁部４０Ｌ及び下部右側壁部４０Ｒが、カバー５０の下側開口部５８のそれぞれ下側、左側及び右側を覆っている。このため下部ユニット３２は、下側開口部５８を介しカバー５０の外部から内部へ異物が侵入してしまうことを抑止できる。
【００５８】
［１−４．駆動力の伝達］
かかる構成において、図８に示した上部ユニット収納状態且つ下部ユニット収納状態のとき、上部ユニット３０の上側ドライブギヤ６０が駆動源（図示せず）から伝達された駆動力により回転すると、上側ジョイントギヤ４６、固定ギヤ４４、下側ジョイントギヤ４８を順次介し、下部ユニット３２の下側ドライブギヤ６２へ駆動力が伝達される。下部ユニット３２は、下側ドライブギヤ６２に伝達した駆動力により、リジェクト庫２８内の搬送路のローラを回転させる。
【００５９】
この上部ユニット収納状態からユニット引出動作が行われ上部ユニット３０が図７に示すように引出方向にスライドし上部ユニット引出状態となると、ジョイント部４２の上側ジョイントギヤ４６の前側から上部ユニット３０の上側ドライブギヤ６０が引出方向へ離隔することにより、上側ジョイントギヤ４６と上側ドライブギヤ６０との接続が切り離される。
【００６０】
同様に下部ユニット収納状態からユニット引出動作が行われ下部ユニット３２が図７に示すように引出方向にスライドし下部ユニット引出状態となると、ジョイント部４２の下側ジョイントギヤ４８の前側から下部ユニット３２の下側ドライブギヤ６２が引出方向へ離隔することにより、下側ジョイントギヤ４８と下側ドライブギヤ６２との接続が切り離される。
【００６１】
また、上部ユニット引出状態からユニット収納動作が行われ上部ユニット３０が収納方向にスライドし上部ユニット収納状態となると、上部ユニット３０の上側ドライブギヤ６０が、ジョイント部４２の上側ジョイントギヤ４６の前側に当接して後ろ下方向へ回動させつつ、上側ジョイントギヤ４６と噛み合う。
【００６２】
同様に下部ユニット引出状態からユニット収納動作が行われ下部ユニット３２が収納方向にスライドし下部ユニット収納状態となると、下部ユニット３２の下側ドライブギヤ６２が、ジョイント部４２の下側ジョイントギヤ４８の前側に当接して後ろ上方向へ回動させつつ、下側ジョイントギヤ４８と噛み合う。
【００６３】
このように紙幣処理機１０は、ジョイント部４２の左部上側壁部６６ＬＵ及び右部上側壁部６６ＲＵと、上部ユニット３０の上部上側壁部３８Ｕとにより、連結ギヤ群６４、上側ブラケット５２及び下側ブラケット５４を上側から覆うようにした。また紙幣処理機１０は、ジョイント部４２の左側壁部６６Ｌと、上部ユニット３０の上部左側壁部３８Ｌとにより、連結ギヤ群６４、上側ブラケット５２及び下側ブラケット５４を左側から覆うようにした。さらに紙幣処理機１０は、ジョイント部４２の左部右側壁部６６ＬＲ及び右側壁部６６Ｒと、上部ユニット３０の上部右側壁部３８Ｒと、下部ユニット３２の下部右側壁部４０Ｒとにより、連結ギヤ群６４、上側ブラケット５２及び下側ブラケット５４を右側から覆うようにした。さらに紙幣処理機１０は、ジョイント部４２の下側壁部６６Ｄと、下部ユニット３２の下部下側壁部４０Ｄとにより、固定ギヤ４４、上側ジョイントギヤ４６、上側ブラケット５２、下側ブラケット５４及び下側ジョイントギヤ４８を下側から覆うようにした。
【００６４】
［１−５．効果等］
以上の構成において紙幣処理機１０は、連結ギヤ群６４をジョイント部４２のカバー５０で覆うようにした。これにより紙幣処理機１０は、カバー５０の外部から異物が連結ギヤ群６４に付着してしまうことを抑止でき、連結ギヤ群６４の摩耗進行を低減し、長寿命化させることができる。
【００６５】
また紙幣処理機１０は、カバー５０に上側開口部５６及び下側開口部５８を穿設し、それぞれ上側ジョイントギヤ４６及び下側ジョイントギヤ４８の一部を外部に露出させるようにした。このため紙幣処理機１０は、上部ユニット収納状態且つ下部ユニット収納状態において、それぞれ上部ユニット３０の上側ドライブギヤ６０に上側ジョイントギヤ４６を、下部ユニット３２の下側ドライブギヤ６２に下側ジョイントギヤ４８を当接させ、上部ユニット３０から下部ユニット３２へ駆動力を伝達させることができる。
【００６６】
さらに紙幣処理機１０は、上側開口部５６及び下側開口部５８を、それぞれ上側ドライブギヤ６０が上側ジョイントギヤ４６と、下側ドライブギヤ６２が下側ジョイントギヤ４８と噛み合うことが可能な程度の、最小限の大きさにするようにした。このため紙幣処理機１０は、上部ユニット３０から下部ユニット３２へ駆動力を伝達させるという本来の機能は保ちつつ、連結ギヤ群６４への異物の付着を可能な限り抑止できる。
【００６７】
さらに紙幣処理機１０は、上部ユニット収納状態において、上部ユニット筐体３４の上部ユニット筐体壁部３８でカバー５０の上側開口部５６を覆うことにより、上側開口部５６を介しカバー５０の外部から内部へ異物が侵入してしまうことを抑止できる。さらに紙幣処理機１０は、下部ユニット収納状態において、下部ユニット筐体３６の下部ユニット筐体壁部４０でカバー５０の下側開口部５８を覆うことにより、下側開口部５８を介しカバー５０の外部から内部へ異物が侵入してしまうことを抑止できる。
【００６８】
さらに紙幣処理機１０は、カバー５０における引出方向側に上側開口部５６及び下側開口部５８を形成するようにした。このため紙幣処理機１０は、ジョイント部４２よりも引出方向側において、上部ユニット３０及び下部ユニット３２を引出方向及び収納方向にスライドさせると共に、上部ユニット収納状態且つ下部ユニット収納状態において、それぞれ上側ジョイントギヤ４６の引出方向側に上側ドライブギヤ６０を、下側ジョイントギヤ４８の引出方向側に下側ドライブギヤ６２を噛み合わせることができる。
【００６９】
また紙幣処理機１０は、上部ユニット収納状態において、上部左側壁部３８Ｌ及び上部右側壁部３８Ｒの下端部を、左側壁部６６Ｌ及び左部右側壁部６６ＬＲの上端部（すなわち上側開口部５６の縁）よりも下側に位置させることにより、上部左側壁部３８Ｌ及び上部右側壁部３８Ｒと、左側壁部６６Ｌ及び左部右側壁部６６ＬＲとを上下方向にオーバーラップさせるように、上部左側壁部３８Ｌ及び上部右側壁部３８Ｒで左側壁部６６Ｌ及び左部右側壁部６６ＬＲを覆うようにした。このため紙幣処理機１０は、ジョイント部４２の上方から重力により落下してくる異物のカバー５０内部への侵入を効果的に抑止できる。
【００７０】
また紙幣処理機１０は、下部ユニット収納状態において、下部左側壁部４０Ｌ及び下部右側壁部４０Ｒの上端部を、下側壁部６６Ｄ及び右部上側壁部６６ＲＵの下端部（すなわち下側開口部５８の縁）よりも上側に位置させることにより、下部左側壁部４０Ｌ及び下部右側壁部４０Ｒと、下側壁部６６Ｄ及び右部上側壁部６６ＲＵとを上下方向にオーバーラップさせるように、下部左側壁部４０Ｌ及び下部右側壁部４０Ｒで下側壁部６６Ｄ及び右部上側壁部６６ＲＵを覆うようにした。このため紙幣処理機１０は、ジョイント部４２の下方からの異物のカバー５０内部への侵入を効果的に抑止できる。
【００７１】
以上の構成によれば現金自動取引装置１は、顧客との間で媒体としての紙幣の授受を行う入出金部１６を備え、装置筐体２から引出し及び収納する方向に移動可能に設けられ、第１のギヤとしての上側ドライブギヤ６０を有する上部ユニット３０と、紙幣を収納する紙幣収納庫２６を装填可能で、装置筐体２から引出し及び収納する方向に移動可能に設けられ、第２のギヤとしての下側ドライブギヤ６２を有する下部ユニット３２と、上側ドライブギヤ６０と下側ドライブギヤ６２と連結される複数の連結ギヤとしての連結ギヤ群６４と、該連結ギヤ群６４の周囲を覆うと共に上側ドライブギヤ６０と及び下側ドライブギヤ６２と上側ジョイントギヤ４６及び下側ジョイントギヤ４８との連結箇所に開口部としての上側開口部５６及び下側開口部５８が形成されたカバー５０とを含むジョイント部４２とを設けるようにした。
【００７２】
これにより現金自動取引装置１は、ジョイント部４２の固定ギヤ４４、上側ジョイントギヤ４６及び下側ジョイントギヤ４８に外部から異物が付着することを防止できる。
【００７３】
［２．第２の実施の形態］
［２−１．現金自動取引装置の構成］
図１に示すように、第２の実施の形態による現金自動取引装置１０１は、第１の実施の形態による現金自動取引装置１と比較して、紙幣処理機１１０の駆動伝達部１２９が紙幣処理機１０の駆動伝達部２９と相違するものの、それ以外は同様に構成されている。
【００７４】
［２−２．駆動伝達部の構成］
それぞれ図８及び図６と対応する部材に同一符号を付した図１２及び図１３に示すように、第２の実施の形態による駆動伝達部１２９は、第１の実施の形態による駆動伝達部２９と比較して、ジョイント部１４２がジョイント部４２と相違するものの、それ以外は同様に構成されている。
【００７５】
［２−３．ジョイント部の構成］
ジョイント部１４２はジョイント部４２と比較して、上側開口部カバー７０及び下側開口部カバー７２が追加されている。以下では上側開口部カバー７０及び下側開口部カバー７２をまとめて開口部カバーとも呼ぶ。
【００７６】
上側開口部カバー７０は、板状部材であり、上側開口部５６の前方下端の下側に設けられた軸に回動可能に取り付けられている。この上側開口部カバー７０は、図１４に示すように軸を中心として先端が引出方向側に位置し全体がほぼ水平方向に沿う引出方向退避姿勢と、図１５に示すように軸を中心として先端が収納方向側に位置し全体がほぼ水平方向に沿う収納方向退避姿勢との間を回動可能となっている。また上側開口部カバー７０は、図示しない付勢部材により、図１２に示すように軸から鉛直方向に沿って上方へ向かう姿勢である上側開口部閉鎖姿勢に向かって付勢されており、この上側開口部閉鎖姿勢において、上側ドライブギヤ６０と前後方向に対向している。上側開口部カバー７０は、上部ユニット収納状態において、上側開口部５６と前後方向に対向することにより、上側開口部５６を前側から覆っている。
【００７７】
下側開口部カバー７２は、板状部材であり、下側開口部５８の前方上端の左側に設けられた軸に回動可能に取り付けられている。この下側開口部カバー７２は、図１４に示すように軸を中心として先端が引出方向側に位置し全体がほぼ水平方向に沿う引出方向退避姿勢と、図１５に示すように軸を中心として先端が収納方向側に位置し全体がほぼ水平方向に沿う収納方向退避姿勢との間を回動可能となっている。また下側開口部カバー７２は、図示しない付勢部材により、図１２に示すように軸から鉛直方向に沿って下方へ向かう姿勢である下側開口部閉鎖姿勢に向かって付勢されており、この下側開口部閉鎖姿勢において、下側ドライブギヤ６２と前後方向に対向している。下側開口部カバー７２は、下部ユニット収納状態において、下側開口部５８と前後方向に対向することにより、下側開口部５８を前側から覆っている。以下では上側開口部閉鎖姿勢及び下側開口部閉鎖姿勢をまとめて開口部閉鎖姿勢とも呼ぶ。
【００７８】
かかる構成において上部ユニット収納状態（図１２）からユニット引出動作が行われ上部ユニット３０が引出方向にスライドすると、図１４に示すように上側ドライブギヤ６０が上側開口部カバー７０に収納方向側から当接して上側開口部閉鎖姿勢から引出方向退避姿勢へ該上側開口部カバー７０が回動することにより、上側ドライブギヤ６０の移動経路から退避する。このため上部ユニット３０は、引出方向へさらに移動可能となり、上部ユニット引出状態となる。
【００７９】
同様に下部ユニット収納状態（図１２）からユニット引出動作が行われ下部ユニット３２が引出方向にスライドすると、図１４に示すように下側ドライブギヤ６２が下側開口部カバー７２に収納方向側から当接して下側開口部閉鎖姿勢から引出方向退避姿勢へ該下側開口部カバー７２が回動することにより、下側ドライブギヤ６２の移動経路から退避する。このため下部ユニット３２は、引出方向へさらに移動可能となり、下部ユニット引出状態となる。
【００８０】
ユニット引出動作後、それぞれ上側開口部カバー７０及び下側開口部カバー７２は図示しない付勢部材により上側開口部閉鎖姿勢及び下側開口部閉鎖姿勢へ戻ることにより、上側開口部５６及び下側開口部５８を前側から覆う。
【００８１】
さらに、上部ユニット引出状態（図１４）からユニット収納動作が行われ上部ユニット３０が収納方向にスライドすると、図１５に示すように上側ドライブギヤ６０が上側開口部カバー７０に引出方向側から当接して上側開口部閉鎖姿勢から収納方向退避姿勢へ該上側開口部カバー７０が回動することにより、上側ドライブギヤ６０の移動経路から退避する。このため上部ユニット３０は、収納方向へさらに移動可能となり、上部ユニット収納状態となる。
【００８２】
同様に下部ユニット引出状態（図１４）からユニット収納動作が行われ下部ユニット３２が収納方向にスライドすると、下側ドライブギヤ６２が下側開口部カバー７２に引出方向側から当接して下側開口部閉鎖姿勢から収納方向退避姿勢へ該下側開口部カバー７２が回動することにより、下側ドライブギヤ６２の移動経路から退避する。このため下部ユニット３２は、収納方向へさらに移動可能となり、下部ユニット収納状態となる。
【００８３】
ユニット収納動作後、それぞれ上側開口部カバー７０及び下側開口部カバー７２は図示しない付勢部材により上側開口部閉鎖姿勢及び下側開口部閉鎖姿勢へ戻ることにより、上側開口部５６及び下側開口部５８を前側から覆う。
【００８４】
［２−４．効果等］
以上の構成において紙幣処理機１１０は、上部ユニット収納状態において、上側開口部カバー７０でカバー５０の上側開口部５６の引出方向側を覆うようにした。これにより紙幣処理機１１０は、紙幣処理機１０よりも連結ギヤ群６４を一層外部から遮蔽でき、上側開口部５６を介しカバー５０の外部から内部へ異物が侵入してしまうことを紙幣処理機１０よりも一層低減できる。
【００８５】
また紙幣処理機１１０は、下部ユニット収納状態において、下側開口部カバー７２でカバー５０の下側開口部５８の引出方向側を覆うようにした。これにより紙幣処理機１１０は、紙幣処理機１０よりも連結ギヤ群６４を一層外部から遮蔽でき、下側開口部５８を介しカバー５０の外部から内部へ異物が侵入してしまうことを紙幣処理機１０よりも一層低減できる。
【００８６】
さらに紙幣処理機１１０は、スライドする上側ドライブギヤ６０及び下側ドライブギヤ６２それぞれを上側開口部カバー７０及び下側開口部カバー７２に当接させることにより、該上側開口部カバー７０及び下側開口部カバー７２を上部ユニット３０及び下部ユニット３２の移動経路から退避させるようにした。これにより紙幣処理機１１０は、ユニット収納動作及びユニット引出動作に影響を与えることなく、上部ユニット収納状態且つ下部ユニット収納状態においてカバー５０の外部から内部へ異物が侵入してしまうことを紙幣処理機１０よりも一層抑止できる。その他第２の実施の形態による紙幣処理機１１０は、第１の実施の形態による紙幣処理機１０とほぼ同様の作用効果を奏する。
【００８７】
［３．他の実施の形態］
なお上述した実施の形態においては、上部ユニット筐体３４に形成された上部上側壁部３８Ｕ、上部左側壁部３８Ｌ及び上部右側壁部３８Ｒにより上側開口部５６を覆う場合について述べた。本発明はこれに限らずカバー５０に上部上側壁部３８Ｕ、上部左側壁部３８Ｌ及び上部右側壁部３８Ｒとほぼ同様の形状を形成し上側開口部５６を覆っても良い。
【００８８】
また上述した実施の形態においては、下部ユニット筐体３６に形成された下部下側壁部４０Ｄ、下部左側壁部４０Ｌ及び下部右側壁部４０Ｒにより下側開口部５８を覆う場合について述べた。本発明はこれに限らずカバー５０に上部上側壁部３８Ｕ、上部左側壁部３８Ｌ及び上部右側壁部３８Ｒとほぼ同様の形状を形成し下側開口部５８を覆っても良い。
【００８９】
さらに上述した実施の形態においては、上部ユニット筐体壁部３８及び下部ユニット筐体壁部４０の両方を設ける場合について述べた。本発明はこれに限らず上部ユニット筐体壁部３８又は下部ユニット筐体壁部４０の何れか一方のみを設けても良い。その場合、ジョイント部４２及び１４２の上方から重力により落下してくる異物のカバー５０内部への侵入を防止するため、少なくとも上部ユニット筐体壁部３８を設けると好ましい。
【００９０】
さらに上述した第２の実施の形態においては、それぞれ上側ドライブギヤ６０を上側開口部カバー７０に、下側ドライブギヤ６２を下側開口部カバー７２に当接させることにより上側開口部カバー７０及び下側開口部カバー７２を回動させる場合について述べた。本発明はこれに限らず、例えば、上部ユニット３０に設けられた他の機構や、下部ユニット３２に設けられた他の機構等、種々の機構を上側開口部カバー７０及び下側開口部カバー７２に当接させることにより、上側開口部カバー７０及び下側開口部カバー７２を回動させても良い。
【００９１】
さらに上述した第２の実施の形態においては、それぞれ上側開口部カバー７０及び下側開口部カバー７２が回動することにより、引出方向退避姿勢、収納方向退避姿勢及び開口部閉鎖姿勢に遷移する場合について述べた。本発明はこれに限らず、例えば、平行移動等、種々の移動方法により、上側開口部カバー７０及び下側開口部カバー７２が引出方向退避姿勢、収納方向退避姿勢及び開口部閉鎖姿勢に遷移しても良い。
【００９２】
さらに上述した第２の実施の形態においては、上側開口部カバー７０及び下側開口部カバー７２の両方を設ける場合について述べた。本発明はこれに限らず上側開口部カバー７０又は下側開口部カバー７２の何れか一方のみを設けても良い。
【００９３】
さらに上述した実施の形態においては、水平方向に沿って装置筐体２に対し前方へ引き出され、後方へ収納される上部ユニット３０及び下部ユニット３２と当接するジョイント部４２及び１４２に本発明を適用する場合について述べた。本発明はこれに限らず、水平方向に沿って装置筐体２に対し後方へ引き出され、前方へ収納される上部ユニット３０及び下部ユニット３２と当接するジョイント部４２及び１４２に本発明を適用しても良い。
【００９４】
さらに上述した実施の形態においては、水平方向に沿って装置筐体２に対し引き出し及び収納される上部ユニット３０及び下部ユニット３２と当接するジョイント部４２に本発明を適用する場合について述べた。本発明はこれに限らず、水平方向に対し傾いた方向や、鉛直方向等、種々の方向に沿って装置筐体に対し引き出し及び収納される上部ユニット及び下部ユニットと当接するジョイント部に本発明を適用しても良い。
【００９５】
さらに上述した実施の形態においては、入金取引及び出金取引を行う現金自動取引装置１及び１０１に本発明を適用する場合について述べたが、入金取引のみを行う装置に本発明を適用しても良い。
【００９６】
さらに上述した実施の形態においては、現金を処理する現金自動取引装置１及び１０１に本発明を適用する場合について述べた。本発明はこれに限らず、例えば債権、証書、商品券、金券や入場券等のような薄い紙状の媒体を処理する種々の装置に適用しても良い。また、例えば紙幣を入出する紙幣処理機や紙幣を所定枚数毎に施封する施封小束支払機等、紙幣や硬貨の取引に関する種々の処理を行う複数種類の装置の組み合わせにより構成された現金処理装置に本発明を適用してもよい。
【００９７】
さらに上述した実施の形態においては、第１のユニットとしての上部ユニット３０と、第２のユニットとしての下部ユニット３２と、連結部としてのジョイント部４２又は１４２とによって、媒体処理装置としての紙幣処理機１０及び１１０を構成する場合について述べた。本発明はこれに限らず、その他種々の構成でなる第１のユニットと、第２のユニットと、連結部とによって、媒体処理装置を構成しても良い。
【００９８】
さらに上述した実施の形態においては、入出金部としての入出金部１６を有する第１のユニットとしての上部ユニット３０と、媒体収納庫としての紙幣収納庫２６を有する第２のユニットとしての下部ユニット３２と、連結部としてのジョイント部４２又は１４２とによって、媒体取引装置としての現金自動取引装置１及び１０１を構成する場合について述べた。本発明はこれに限らず、その他種々の構成でなる入出金部を有する第１のユニットと、媒体収納庫を有する第２のユニットと、連結部とによって、媒体取引装置を構成しても良い。
【産業上の利用可能性】
【００９９】
本発明は、ユニット間で駆動を伝達させる各種ギヤを有する種々の装置でも利用できる。
【符号の説明】
【０１００】
１……現金自動取引装置、２……装置筐体、３……顧客応対部、４……カード入出口、５……入出金口、６……操作表示部、７……テンキー、８……レシート発行口、９……主制御部、１０、１１０……紙幣処理機、１２……制御部、１４……記憶部、１５……金庫筐体、１６……入出金部、１８……鑑別部、２０……一時保留部、２１……上搬送部、２２……偽券庫、２４……搬送部、２６……紙幣収納庫、２８……リジェクト庫、２９、１２９……駆動伝達部、３０……上部ユニット、３２……下部ユニット、３４……上部ユニット筐体、３６……下部ユニット筐体、３８……上部ユニット筐体壁部、３８Ｕ……上部上側壁部、３８Ｌ……上部左側壁部、３８Ｒ……上部右側壁部、４０……下部ユニット筐体壁部、４０Ｄ……下部下側壁部、４０Ｌ……下部左側壁部、４０Ｒ……下部右側壁部、４２、１４２、２４２……ジョイント部、４４……固定ギヤ、４４Ａ……固定ギヤ軸、４６……上側ジョイントギヤ、４６Ａ……上側ジョイントギヤ軸、４８……下側ジョイントギヤ、４８Ａ……下側ジョイントギヤ軸、５０……カバー、５２……上側ブラケット、５４……下側ブラケット、５６……上側開口部、５８……下側開口部、６０……上側ドライブギヤ、６０Ａ……上側ドライブギヤ軸、６２……下側ドライブギヤ、６２Ａ……下側ドライブギヤ軸、６４……連結ギヤ群、６６ＬＵ……左部上側壁部、６６Ｌ……左側壁部、６６ＬＲ……左部右側壁部、６６ＲＵ……右部上側壁部、６６Ｄ……下側壁部、６６Ｒ……右側壁部、６６Ｂ……後側壁部、６６Ｆ……前側壁部、７０……上側開口部カバー、７２……下側開口部カバー、ＡＢＬ……紙幣搬送エリア。
【図１】
2018032265.tif 000003
【図２】
2018032265.tif 000004
【図３】
2018032265.tif 000005
【図４】
2018032265.tif 000006
【図５】
2018032265.tif 000007
【図６】
2018032265.tif 000008
【図７】
2018032265.tif 000009
【図８】
2018032265.tif 000010
【図９】
2018032265.tif 000011
【図１０】
2018032265.tif 000012
【図１１】
2018032265.tif 000013
【図１２】
2018032265.tif 000014
【図１３】
2018032265.tif 000015
【図１４】
2018032265.tif 000016
【図１５】
2018032265.tif 000017
【図１６】
2018032265.tif 000018